(57)【特許請求の範囲】
【請求項１】
異常現象を検出して異常検出信号を出力する異常検出手段と、前記異常検出信号をもとに異常現象の確定を行って異常確定信号を出力すると共に、最初の異常検出信号入力から以降に異常検出信号の入力がないとき異常消滅信号を出力する異常判定手段と、前記異常確定信号の入力時から予め設定された基準時間の計測を開始して、基準時間計測中は時間計測継続信号を出力する基準時間計測手段と、前記時間計測継続信号が入力されている時間内に入力された前記異常消滅信号の入力時間が前記基準時間以上であることを条件に復帰信号を出力する異常終了判定手段と、前記異常確定信号が入力されたときガス遮断弁を閉栓動作させ、前記復帰信号が入力されたときガス遮断弁を開栓動作させる遮断弁駆動手段とを具備してなることを特徴とするガス遮断装置。
【請求項２】
異常現象が地震であり、異常検出手段が振動を検出して振動検出信号を出力する感震器であり、異常判定手段が振動のパターンと強度から地震を確定して地震確定信号を出力すると共に、最初の振動検出信号入力から以降に振動検出信号の入力がないとき地震消滅信号を出力する地震判定手段であることを特徴とする請求項１記載のガス遮断装置。
【請求項３】
異常現象がガス通路内のガス圧力異常であり、異常検出手段が圧力変動を検出して圧力異常信号を出力する圧力センサであり、異常判定手段が圧力変動のパターンから圧力異常を確定して圧力異常確定信号を出力すると共に、最初の圧力異常信号入力から以降に圧力異常信号の入力がないとき圧力異常消滅信号を出力する圧力判定手段であることを特徴とする請求項１記載のガス遮断装置。
【請求項４】
異常現象が室内のガス漏れであり、異常検出手段がガス漏れを検出して警報信号を出力するガス漏れセンサであり、異常判定手段が前記警報信号のパターンからガス漏れを確定してガス漏れ確定信号を出力すると共に、最初の警報信号入力から以降に警報信号の入力がないときガス漏れ消滅信号を出力するガス漏れ判定手段であることを特徴とする請求項１記載のガス遮断装置。
【請求項５】
異常現象が衝撃であり、異常検出手段が衝撃振動を検出して衝撃検出信号を出力する衝撃検出センサであり、異常判定手段が衝撃検出信号のパターンから衝撃を確定して衝撃確定信号を出力すると共に、最初の衝撃検出信号入力から以降に衝撃検出信号の入力がないとき衝撃消滅信号を出力する衝撃判定手段であることを特徴とする請求項１記載のガス遮断装置。
【発明の詳細な説明】
【０００１】
【発明の属する技術分野】
本発明は、ガス使用上の安全対策としてのガス遮断装置に関し、異常検出により閉栓動作した遮断弁を開栓する処理動作の機能を備えたガス遮断装置に関するものである。
【０００２】
【従来の技術】
図５は、従来例に係るガス遮断装置の構成を示すブロック図である。このガス遮断装置４０は、所定震度以上の地震を検知したときガス遮断弁４４を閉じ、予め設定された基準時間経過後に再びガス遮断弁４４を開き、その後の一連の安全確認動作を行って通常の状態に復帰するように構成されている。
【０００３】
図５において、感震器４１が振動を検出したとき、振動判定部４２は振動パターンや振動強度等から地震であることを判定して地震確定信号ｄを出力する。この地震確定信号ｄは遮断弁駆動部４３に入力され、遮断弁駆動部４３による遮断信号ｖによりガス遮断弁４４を閉栓動作させ、ガス通路が遮断される。前記地震確定信号ｄは復帰判定部４５にも入力され、復帰判定部４５は予め設定された基準時間が経過したとき、復帰信号ｒを遮断弁駆動部４３に出力するので、遮断弁駆動部４３はガス遮断弁４４を開栓動作させる。
【０００４】
【発明が解決しようとする課題】
上記従来構成においては、地震発生を検知してガス遮断弁によりガス通路を閉じた後、基準時間後にガス遮断弁による閉栓を解除してガス通路を開栓するように構成されている。しかしながら、ガス遮断弁による閉栓の復帰を基準時間の経過だけで決定しまうため、感震器が倒れて振動オンの状態が継続しているような場合に、開栓と閉栓とが繰り返されることになり、消費電力の大きい遮断弁の動作により、ガス遮断装置の電源である電池の消耗を早めてしまう問題点があった。
【０００５】
本発明は、従来構成に係る問題点に鑑みて創案されたもので、異常発生後のガス遮断弁による開閉動作を必要以上に繰り返さないようにして、ガス遮断装置が具備する電池の消耗を少なくすることができるガス遮断装置を提供することを目的とするものである。
【０００６】
【課題を解決するための手段】
本発明に係るガス遮断装置は、異常現象を検出して異常検出信号を出力する異常検出手段と、前記異常検出信号をもとに異常現象の確定を行って異常確定信号を出力すると共に、最初の異常検出信号入力から以降に異常検出信号の入力がないとき異常消滅信号を出力する異常判定手段と、前記異常確定信号の入力時から予め設定された基準時間の計測を開始して、基準時間計測中は時間計測継続信号を出力する基準時間計測手段と、前記時間計測継続信号が入力されている時間内に入力された前記異常消滅信号の入力時間が前記基準時間以上であることを条件に復帰信号を出力する異常終了判定手段と、前記異常確定信号が入力されたときガス遮断弁を閉栓動作させ、前記復帰信号が入力されたときガス遮断弁を開栓動作させる遮断弁駆動手段とを具備してなることを特徴とする。
【０００７】
上記構成によれば、異常が検出され、異常確定信号が出力されたとき、遮断弁によりガス通路は閉栓される。この遮断弁の開栓は、時間計測継続信号が入力されている時間内に異常消滅信号が入力されている時間が基準時間以上であることを条件に出力される復帰信号により遮断弁駆動手段が遮断弁を開栓動作させる場合だけである。従って、不用意に遮断弁が開栓されることはなく、遮断弁が開閉を繰り返すことによる電池の消耗も防止される。
【０００８】
上記構成は、異常現象が地震であり、異常検出手段が地震振動を検出して振動検出信号を出力する感震器であり、異常判定手段が振動のパターンと強度から地震を確定して地震確定信号を出力すると共に、最初の振動検出信号入力から以降に振動検出信号の入力がないとき地震消滅信号を出力する地震判定手段であることを特徴として構成することができる。
【０００９】
また、異常現象がガス通路内のガス圧力異常であり、異常検出手段が圧力変動を検出して圧力異常信号を出力する圧力センサであり、異常判定手段が圧力変動のパターンから圧力異常を確定して圧力異常確定信号を出力すると共に、最初の圧力異常信号入力から以降の所定時間内に圧力異常信号の入力がないとき圧力異常消滅信号を出力する圧力判定手段であることを特徴として構成することができる。
【００１０】
更に、異常現象が室内のガス漏れであり、異常検出手段がガス漏れを検出して警報信号を出力するガス漏れセンサであり、異常判定手段が前記警報信号のパターンからガス漏れを確定してガス漏れ確定信号を出力すると共に、最初の警報信号入力から以降に警報信号の入力がないときガス漏れ消滅信号を出力するガス漏れ判定手段であることを特徴として構成することができる。
【００１１】
更に、異常現象が衝撃であり、異常検出手段が衝撃振動を検出して衝撃検出信号を出力する衝撃検出センサであり、異常判定手段が衝撃検出信号のパターンから衝撃を確定して衝撃確定信号を出力すると共に、最初の衝撃検出信号入力から以降に衝撃検出信号の入力がないとき衝撃消滅信号を出力する衝撃判定手段であることを特徴として構成することができる。
【００１２】
【発明の実施の形態】
以下、添付図面を参照して本発明の一実施形態について説明し、本発明の理解に供する。尚、以下の実施形態は本発明を具体化した一例であって、本発明の技術的範囲を限定するものではない。
【００１３】
図１は、本発明の第１の実施形態に係るガス遮断装置の構成を示すブロック図である。ガス遮断装置１は、地震発生時にガス通路を遮断して安全を図ると共に、地震振動が消滅している状態が所定の基準時間以上になったときにガス通路を開栓できるように構成されている。
【００１４】
図１において、感震器（異常検出センサ）２は地震等の振動を検出して振動検出信号（異常検出信号）Ｅを出力する。前記振動検出信号Ｅが入力された地震判定部（異常判定手段）３は、振動のパターンや強度等から所定震度以上の地震であると判定したときには地震確定信号（異常確定信号）Ｄを出力する。遮断弁駆動部４は前記地震確定信号Ｄが入力されると、遮断信号Ｖを出力してガス遮断弁７を駆動してガス通路を遮断する閉栓動作を実行する。また、前記地震確定信号Ｄが入力されたとき基準時間計測部（基準時間計測手段）５は予め設定された基準時間の計測を開始する。この基準時間の計測が継続されている間、基準時間計測部５は時間計測継続信号Ｊを異常終了判定部６に出力する。
【００１５】
前記感震器２から振動検出信号Ｅが入力された以降に振動検出信号Ｅの入力がなくなったとき、地震判定部３は振動検出信号Ｅの入力のない状態を地震消滅信号Ｂとして出力する。この地震消滅信号Ｂは前記異常終了判定部６に入力される。前記異常終了判定部６では、前記時間計測継続信号Ｊが入力されている間に、入力された前記地震消滅信号Ｂの入力時間が前記基準時間以上であったときを条件に復帰信号Ｒを出力する。復帰信号Ｒが遮断弁駆動部４に入力されると、遮断弁駆動部４は開栓信号Ｆを出力し、ガス遮断弁７を駆動してガス通路を開栓する。
【００１６】
前記時間計測継続信号Ｊの入力が終了してしまうまでに、地震消滅信号Ｂの基準時間以上の入力がない場合、及び前記地震消滅信号Ｂの入力時間が前記基準時間以上であっても、それが時間計測継続信号Ｊの入力が終了してしまった後である場合には、復帰信号Ｒは出力されない。前記時間計測継続信号Ｊの入力が終了してしまった後に、遮断弁駆動部４によりガス遮断弁７を開栓動作させるためには、外部からの復帰信号の入力がなければ開栓動作は実行されない。
【００１７】
感震器２が倒れてしまったような状態であるときには、振動を検出したと同じ状態が持続するので地震消滅信号Ｂは出力されず、前記復帰信号Ｒが出力されることもないので、従来例のようなガス遮断弁７の開閉の繰り返しは生じず、電池の消耗は防止される。
【００１８】
上記構成は、異常現象を地震として、遮断弁７の閉栓／開栓の処理動作を制御しているが、この構成は、他の異常現象に適用することもできる。
【００１９】
図２に示すガス遮断装置は、ガス圧力の異常に対応させたガス遮断装置１０の構成、図３に示すガス遮断装置は、室内のガス漏れ検出に対応させたガス遮断装置２０の構成、図４に示すガス遮断装置は、人為的あるいは天災等による衝撃検出に対応させたガス遮断装置３０の構成である。以下に各構成について説明する。尚、上記ガス遮断装置１の構成と共通する要素には、同一の符号を付し、その説明は省略する。
【００２０】
図２において、ガス遮断装置１０は、ガス通路内のガス圧力の変動を検出する圧力センサ（異常検出センサ）１１と、この圧力センサ１１が出力する圧力変動信号（異常検出信号）Ｅｐから圧力異常を判定して圧力異常確定信号（異常確定信号）Ｄｐを出力すると共に、圧力異常が検出されなくなったとき圧力異常消滅信号（異常消滅信号）Ｂｐを出力する圧力異常判定部（異常判定手段）１２と、前記圧力異常確定信号Ｄｐの入力により閉栓信号Ｖを出力してガス遮断弁７を閉栓動作させ、異常終了判定部６から復帰信号Ｒが出力されたとき開栓信号Ｆを出力してガス遮断弁７を開栓動作させる遮断弁駆動部４と、前記圧力異常確定信号Ｄｐの入力時から予め設定された基準時間を計測して、時間計測の継続中を示す時間計測継続信号Ｊを出力する基準時間計測部５と、前記時間計測継続信号Ｊの入力中に前記圧力異常消滅信号Ｂｐの入力時間が前記基準時間以上であったときを条件として、復帰信号Ｒを出力する異常終了判定部６とを具備して構成されている。
【００２１】
ガス通路のガス圧力の変動は、ガス通路に損傷が生じてガス漏れが発生している場合とか、ガス器具が開栓中にもかかわらずガス燃焼が停止している場合とかに発生するので、圧力センサ１１が検出する圧力の変動から圧力異常判定部１２は圧力異常を判定して圧力異常確定信号Ｄｐを出力する。
【００２２】
図３において、ガス遮断装置２０は、室内のガス漏れを検出して警報を出力するガス漏れセンサ（異常検出センサ）２１と、このガス漏れセンサ２１が出力する警報信号Ｅｅのパターンからガス漏れを判定してガス漏れ確定信号Ｄｅを出力すると共に、警報信号Ｅｅが入力されなくなったときガス漏れ消滅信号Ｂｅを出力するガス漏れ判定部（異常判定手段）２２と、前記ガス漏れ確定信号Ｄｅの入力により閉栓信号Ｖを出力してガス遮断弁７を閉栓動作させ、異常終了判定部６から復帰信号Ｒが出力されたとき開栓信号Ｆを出力してガス遮断弁７を開栓動作させる遮断弁駆動部４と、前記ガス漏れ確定信号Ｄｅの入力時から予め設定された基準時間を計測して、時間計測中は時間計測継続信号Ｊを出力する基準時間計測部５と、前記時間計測継続信号Ｊが入力されている間に入力された前記ガス漏れ消滅信号Ｂｅが入力時間が、前記基準時間以上であることを条件として復帰信号Ｒを出力する異常終了判定部６とを具備して構成されている。
【００２３】
ガス漏れセンサ２１は、室内に漏れたガスの濃度を検出して、それが所定値以上であるとき警報を発して、ガス使用者に危険状態を報知すると共に、警報信号Ｅｅをガス漏れ判定部２２に入力する。ガス漏れ判定部２２は警報信号Ｅｅの断続や継続等のパターンからガス漏れを判定してガス漏れ確定信号Ｄｅを出力する。
【００２４】
図４において、ガス遮断装置３０は、人為的な行動、例えば暴動、自動車事故の二次的被害や天災等による衝撃によるガス事故の防止を図るためのガス遮断機能を備えたもので、前記のような異常事態による衝撃を検出する衝撃センサ（異常検出センサ）３１と、この衝撃センサ３１が出力する衝撃検出信号Ｅｓから、衝撃の強度、衝撃の頻発度等を判定して衝撃確定信号Ｄｓを出力すると共に、所定衝撃強度が頻発しなくなったことが検出されとき衝撃消滅信号Ｂｓを出力する衝撃判定部（異常判定手段）３２と、前記衝撃確定信号Ｄｓの入力により閉栓信号Ｖを出力してガス遮断弁７を閉栓動作させ、異常終了判定部６から復帰信号Ｒが出力されたとき開栓信号Ｆを出力してガス遮断弁７を開栓動作させる遮断弁駆動部４と、前記衝撃確定信号Ｄｓの入力時から予め設定された基準時間を計測して、時間計測中には時間計測継続信号Ｊを出力する基準時間計測部５と、前記時間計測継続信号Ｊが入力されている間に入力された前記衝撃消滅信号Ｂｓの入力時間が前記基準時間以上であることを条件として復帰信号Ｒを出力する異常終了判定部６とを具備して構成されている。
【００２５】
衝撃センサ３１は、ガス遮断装置３０やこれの設置場所周辺に発生する地震、台風等による衝撃、あるいは人為的に加えられる衝撃や交通事故等に伴う衝撃等を検出して、衝撃の強度を刻々に衝撃判定部３２に入力する。衝撃判定部３２は衝撃の強度や頻発度を判定して衝撃確定信号Ｄｓを出力する。
【００２６】
【発明の効果】
以上の説明の通り本発明によれば、異常が検出され、異常確定信号が出力されたとき、遮断弁によりガス通路は閉栓される。この遮断弁の開栓は、異常確定信号出力時から計測される時間計測継続信号が入力されている間に入力された異常消滅信号の入力時間が、基準時間以上であることを条件として出力される復帰信号により遮断弁駆動手段が遮断弁を開栓動作させる場合だけである。従って、閉栓状態にある遮断弁が不用意に開栓されることはなく、安全確保がなされた後に開栓されるので、異常現象によりガス漏れが発生しているような場合でもガス事故の発生は防止され、遮断弁の開栓と閉栓とが繰り返されることによるガス遮断装置の電源である電池の不必要な消耗も防止される。
【００２７】
本発明は、異常現象が地震である場合にも、異常現象がガス通路内のガス圧力異常である場合にも、異常現象が室内のガス漏れである場合にも、異常現象が衝撃である場合にも適用できる。
【図面の簡単な説明】
【図１】本発明を地震による遮断弁の閉栓／開栓の処理動作に適用した実施形態に係るガス遮断装置の構成を示すブロック図である。
【図２】本発明を圧力異常による遮断弁の閉栓／開栓の処理動作に適用した実施形態に係るガス遮断装置の構成を示すブロック図である。
【図３】本発明をガス漏れによる遮断弁の閉栓／開栓の処理動作に適用した実施形態に係るガス遮断装置の構成を示すブロック図である。
【図４】本発明を衝撃による遮断弁の閉栓／開栓の処理動作に適用した実施形態に係るガス遮断装置の構成を示すブロック図である。
【図５】従来例に係るガス遮断装置の構成を示すブロック図である。
【符号の説明】
１、１０、２０、３０  ガス遮断装置
２  感震器（異常検出手段）
３  地震判定部（異常判定手段／地震判定手段）
４  遮断弁駆動部（遮断弁駆動手段）
５  基準時間計測部（基準時間計測手段）
６  異常終了判定部（異常終了判定手段）
７  ガス遮断弁
１１  圧力センサ（異常検出手段）
１２  圧力異常判定部（異常判定手段／圧力異常判定手段）
２１  ガス漏れセンサ（異常検出手段）
２２  ガス漏れ判定部（異常判定手段／ガス漏れ判定手段）
３１  衝撃センサ（異常検出手段）
３２  衝撃判定部（異常判定手段／衝撃判定手段）
【図１】
0003992084.tif 000002
【図２】
0003992084.tif 000003
【図３】
0003992084.tif 000004
【図４】
0003992084.tif 000005
【図５】
0003992084.tif 000006